(57)【要約】【課題】ブレーキペダルとアクセルペダルの踏み間違いによる自動車の暴走を、低コストで防止すること。【解決手段】本発明の緊急停止装置４では、運転席からも助手席からもよく見えて操作容易な位置に押しボタン式の緊急停止スイッチ６を設けておき、危ないと思ったら両者から操作可能にしておく。同スイッチ６が強く押されると、緊急停止ユニット５が作動して、エンジン回転数をアイドル状態にまで落とし、ブレーキ３１が掛かって自動車１は自動的に減速し停車するに至る。従来の車両構成を大きく変えないので廉価である。【選択図】図１
2013238182.tif 000002
【特許請求の範囲】
【請求項１】
運転者のアクセル操作に応じて出力が変化し複数ある車輪（１１）のうち少なくとも一部に駆動トルクをかける動力源（２１）と、この運転者のブレーキ操作に応じてこれら車輪（１１）のうち少なくとも一部を制動する制動装置（３１）とを有する車両（１）に搭載される走行安全装置（４）であって、
前記アクセル操作にかかわらず前記動力源（２１）の前記出力を強制的に低減させる出力低減手段（５１）と、前記ブレーキ操作にかかわらず前記制動装置（３１）を作動させる強制制動手段（５２）とのうち、少なくとも一方をもつ加速抑制手段（５）と、
この加速抑制手段（５）を前記運転者の操作で起動させる起動手段（６）と、
を有することを特徴とする、
車両（１）用の緊急停止装置（４）。
【請求項２】
前記動力源（２１）はエンジン（２１）であり、
前記出力低減手段（５１）は、このエンジン（２１）のスロットル開度を一杯に絞ることと、このエンジン（２１）への燃料の供給を停止することとのうち、少なくとも一方をもってこのエンジン（２１）の回転数をアイドリング回転数にまで落として安定させる出力カット機能（Ｓ５）をもつ、
請求項１記載の緊急停止装置（４）。
【請求項３】
前記動力源（２１）は電動機であり、
前記出力低減手段（５１）は、この電動機への電力供給を止める給電停止機能をもち、
前記強制制動手段（５２）は、摩擦力によるブレーキ機能に加え、この電動機の回転運動の慣性エネルギーを吸収して発電する回生ブレーキ機能をもつ、
請求項１記載の緊急停止装置（４）。
【請求項４】
前記起動手段（６）は、
ダッシュボードおよびセンターコンソールのうち少なくとも一方の表面あり、運転席正面と助手席正面との間に配設された押しボタンが所定以上の押圧力で圧迫されると閉じるスイッチ接点（６１）をもつ押しボタン型の緊急停止スイッチ（６）と、
操舵ハンドル（７）に装置された警笛スイッチが所定以上の押圧力で圧迫されると閉じるスイッチ接点をもつ警笛スイッチ型の緊急停止スイッチと、
運転席前方の床に設置されたフットレストが所定以上の押圧力で圧迫されると閉じるスイッチ接点をもつフットレスト型の緊急停止スイッチと、
のうち少なくとも一つである、
請求項１〜請求項３のうちいずれかに記載の緊急停止装置（４）。
【請求項５】
前記車両（１）には、少なくとも車両の移動速度と対物対人センサからの信号とに基づいて衝突を予測するプリクラッシュ判定手段（８）が装備されており、
このプリクラッシュ判定手段（８）により衝突が予測された場合、少なくとも前記運転者に音響的手段および光学的手段のうち少なくとも一方で報知して起動手段（６）の操作を促す衝突警告手段（５７，５８，６２，ＳＰ）を有する、
請求項１〜請求項４のうちいずれかに記載の緊急停止装置（４）。
【請求項６】
前記起動手段（６）は、ダッシュボードおよびセンターコンソールのうち少なくとも一方の表面あり運転席正面と助手席正面との間に配設された押しボタンが所定以上の押圧力で圧迫されると閉じるスイッチ接点（６１）をもつ押しボタン型の緊急停止スイッチ（６）と、操舵ハンドル（７）に装置された警笛スイッチが所定以上の押圧力で圧迫されると閉じるスイッチ接点をもつ警笛スイッチ型の緊急停止スイッチとのうち少なくとも一方の緊急停止スイッチ（６）であり、
前記プリクラッシュ判定手段（８）により衝突が予測された場合に点滅して前記緊急停止スイッチ（６）を目立たせる警告ランプ（６２）を有する、
請求項５記載の緊急停止装置（４）。
【請求項７】
前記プリクラッシュ判定手段（８）により衝突が予測されている場合以外では、前記起動手段（６）の操作如何に関わりなく加速抑制手段（５）の起動を防止する誤動作防止手段（５３）をもつ、
請求項５記載の緊急停止装置（４）。
【請求項８】
前記加速抑制手段（５）は、前記起動手段（６）にかけられた操作力、操作回数、操作時間および操作力積のうち少なくとも一つから緊急度を判定し、この緊急度に基づいて強制制動手段（５２）の作動強度を適正に調整する緊急度判定手段をもつ、
請求項１〜請求項７のうちいずれかに記載の緊急停止装置（４）。
【発明の詳細な説明】
【技術分野】
【０００１】
本発明は、車両の走行安全技術の分野に属する。
【背景技術】
【０００２】
近年、運転者のふとした勘違いからブレーキペダルを踏むつもりでアクセルペダルを踏んでしまうという事故が報告されている。
【０００３】
そこで、ブレーキペダルとは別に操舵ハンドルにブレーキ操作手段が付設された自動車の運転操作手段が提案されている。例えば、特許文献１に開示されている発明では、普通のステアリング・ホイールとは大きく異なった形状の民間飛行機の操縦ヨークに似た形の操舵ハンドルが提案されている。そして、その操舵ハンドルの右手用グリップおよび左手用グリップのうち少なくとも一方にブレーキ操作手段を設けるとしている。
【先行技術文献】
【特許文献】
【０００４】
【特許文献１】特開平１１−３４２８４９号公報
【発明の概要】
【発明が解決しようとする課題】
【０００５】
しかしながら、前述の従来技術では、現行のステアリング・ホイールとはかけ離れた形状の操舵ハンドルを採用しており、運転者がその操作に慣れるのにはそれなりの訓練を要するものと考えられる。また、現行のステアリング・ホイールとは全く異なる形状と操作方式とを採用しているがゆえに、かなりのコストアップは避けがたいものと思われ、さらに安全性や信頼性の確保にも相当の配慮を要するものと推察される。
【０００６】
そこで本発明は、アクセルペダルとブレーキペダルとの踏み間違え時にも容易に車両を減速ないし停止させることができる緊急停止装置を提供することを解決すべき課題とする。
【課題を解決するための手段】
【０００７】
本発明の緊急停止装置（４）は、運転者のアクセル操作に応じて出力が変化し複数ある車輪（１１）のうち少なくとも一部に駆動トルクをかける動力源（２１）と、この運転者のブレーキ操作に応じてこれら車輪（１１）を制動する制動装置（３１）とを有する車両（１）に搭載される走行安全装置（４）である。緊急停止装置（４）は、搭載車両の加速を抑制する加速抑制手段（５）と、この加速抑制手段（５）を前記運転者の操作で起動させる起動手段（６）とを有する。この加速抑制手段（５）は、前記アクセル操作にかかわらず前記動力源（２１）の前記出力を強制的に低減させる出力低減手段（５１）と、前記ブレーキ操作にかかわらず前記制動装置（３１）を作動させる強制制動手段（５２）とのうち、少なくとも一方をもつ。
【０００８】
ここで、加速抑制手段（５）が出力低減手段（５１）をもっていれば、運転者が仮にペダルを踏み間違えても暴走による加速は起こりえず逆に自然に減速するので、運転者には時間的および心理的な余裕が生じ、事故回避に繋がる。また、加速抑制手段（５）が強制制動手段（５２）をもっていれば、ペダルの踏み間違えなどにより動力源（２１）が最大出力を発揮していても、制動装置（３１）により車輪（１１）を制動して車両を減速させて停止させるに至り、事故回避に繋がる。もちろん、加速抑制手段（５）が出力低減手段（５１）と強制制動手段（５２）とのうち両方をもてば、事故回避効果は最も大きくなる。しかし、仮に一方だけを有していても前述のように事故回避効果は得られ、他方を装備しない分だけ廉価となる。
【０００９】
一方、前記起動手段（６）には、各種の方式があり、例えば、押しボタン型の緊急停止スイッチ（６）と、警笛スイッチ型の緊急停止スイッチと、フットレスト型の緊急停止スイッチとのうち、少なくとも一つを採用することができる。もちろん、これらの例示のうち複数ないし全てを採用しても良いし、他の形式の緊急停止スイッチ（６）を単独で、または併せて採用しても良い。
【００１０】
ここで、押しボタン型の緊急停止スイッチ（６）とは、ダッシュボードおよびセンターコンソールのうち少なくとも一方の表面あり、運転席正面と助手席正面との間に配設された押しボタンが所定以上の押圧力で圧迫されると閉じるスイッチ接点（６１）をもつ起動手段（６）である。このような位置に配設されているので、押しボタン型の緊急停止スイッチ（６）は、運転者から操作できるばかりではなく、助手席にいる運転助手または運転指導員からも操作可能である。
【００１１】
それゆえ、運転者が未熟であったり急に具合が悪くなったりした場合であっても、助手席から押しボタン型の緊急停止スイッチ（６）を操作して加速抑制手段（５）を起動させることができ、事故を未然に防ぐことが容易になる。特に、最近では手動レバー式のサイドブレーキが少なくなり、運転者が左足で操作するフットペダル式のサイドブレーキが増えているので、助手席から操作して減速ないし停車させることができることは走行安全に寄与するところ大である。
【００１２】
そのうえ、プリクラッシュ判定手段（８）により衝突が予測された場合、少なくとも前記運転者に音響的手段および光学的手段のうち少なくとも一方で報知する衝突警告手段（５７，５８，６２，ＳＰ）で押しボタン型の緊急停止スイッチ（６）の操作が促されるようになっていれば、なお緊急時の操作が容易になる。
【００１３】
次に、警笛スイッチ型の緊急停止スイッチとは、操舵ハンドル（７）に装置された警笛スイッチが所定以上の押圧力で圧迫されると閉じるスイッチ接点をもつ起動手段（６）である。もしペダルの踏み違えで車両が暴走し始めたら、大抵の運転手は反射的に警笛スイッチを力一杯に押し、警笛を鳴らして周囲へ警告するであろう。その操作自体が、緊急停止スイッチを閉じて加速抑制手段（５）を起動することになるから、車両は速やかに減速ないし停車して事故を回避できる可能性が大きい。
【００１４】
一方、フットレスト型の緊急停止スイッチとは、運転席前方の床に設置されたフットレストが所定以上の押圧力で圧迫されると閉じるスイッチ接点をもつ起動手段（６）である。ＡＴ車では左足をフットレストに置いておくのが普通であるから、もし運転者が未熟であってペダルを踏み違えたとしても、自動車が意に反して暴走を始めたならば、本能的に身を固くして左足も思い切り踏ん張るであろう。すると、フットレストには強大な押圧力がかかるから、それをもって起動手段が作動し、加速抑制手段（５）により車両は速やかに減速ないし停車することになろう。
【００１５】
本発明の緊急停止装置（４）によれば、ペダル踏み間違えによる事故をこうして回避することができる可能性が高まるのであるから、交通安全に寄与するところが大きい。それでいて、既存の車両構成に上記のような緊急停止装置（４）を加えるだけであるから、ほぼコストミニマムと言って差し支えない。その結果、本発明によれば、ペダルの踏み違えによる事故を効果的に防止する手段を安価に提供できるから、費用対効果がたいへん高いと言える。
【図面の簡単な説明】
【００１６】
【図１】実施例１としての緊急停止装置を含む自動車の構成を示す模式図
【図２】実施例１としての緊急停止装置を含むシステム構成を示すブロック図
【図３】実施例１における緊急停止装置の作業手順を示すフローチャート
【発明を実施するための形態】
【００１７】
本発明の車両用の緊急停止装置がもつ実施形態については、当業者が本発明を実施することができるだけの理解が得られるように、以下の記載で明確かつ十分に説明する。なお、本発明の出願時点では、以下の実施例ないしその変形態様のうちに最良の実施形態が開示されているものと、発明者は考えている。
【実施例１】
【００１８】
（構成）
本発明の実施例１たる車両用の緊急停止装置４は、図１に示すように、ＡＴ（オートマチック・トランスミッション）を装備した自動車１に搭載される走行安全装置である。
【００１９】
車両としての自動車１は、動力源としてのエンジン２１からのＡＴ（図略）を介したパワートレイン（図１中に破線で略記）をもって、四つある車輪１１に駆動トルクをかける四輪駆動車である。自動車１の運転席（図略）に座った運転者（図略）は、アクセルペダル（図略）を適正に操作することにより、エンジン２１の出力を調整する。なお、運転者によるアクセル操作と各種センサからの信号とに基づいてエンジン２１をより適正に制御するためのエンジンＥＣＵ２が、エンジンルームに内蔵されており、エンジン２１に接続されている。
【００２０】
自動車１には、運転者がブレーキペダル３を踏み込むブレーキ操作に応じ、ＥＳＣ（エレクトロニックスタビリティコントロール）機能付きのブレーキＥＣＵ５５（図２参照）の調整を受けつつ、四輪（１１）をそれぞれ適正に制動する制動装置としてのブレーキ３１が各車輪１１に付設されている。各ブレーキは、ブレーキ操作と各種センサの信号とに基づいて作用するＥＳＣ（エレクトロニックスタビリティコントロール）機能付きのブレーキＥＣＵ５５（図２参照）の調整を受けつつ、制動力を発揮する。ブレーキフルードの配管は、図１中に実線で示してあり、システムとしての緊急停止装置４の一部に含まれるブレーキＥＣＵ５５（図２参照）から各車輪１１のブレーキ３１まで配設されている。運転席の正面には操舵ハンドルとしてのステアリング・ホイール７が配設されており、ステアリング・ホイール７には警笛を鳴らすための警笛スイッチ（図略）が付設されている。
【００２１】
さて、本実施例の緊急停止装置４は、図２に示すように、エンジンＥＣＵ２およびプリクラッシュ判定手段８と車載ネットワークを介して接続されている。また、各車輪１１に付設されている回転速度センサ（図略）からの車輪速度信号を車輪速度インターフェース５９で取り込み、ＥＳＣ機能付きのブレーキＥＣＵ５５からブレーキフルードの油圧で各車輪１１のブレーキ３１を適正に作動させる。
【００２２】
ここでプリクラッシュ判定手段８は、レーダーやステレオカメラなどの各種センサで、車両周辺の状態を監視する監視装置類８０と、監視装置類８０からの各種信号と車両の速度や加速度などの信号（図略）に基づき衝突予測を行うプリクラッシュ制動装置８１とを有する。プリクラッシュ制動装置８１では、このままでは衝突してしまうから制動が必要と判定するプリクラッシュ直前判定手段８２が、内蔵マイコンによって実施されるソフトウェアとして、イグニッションＯＮ状態では作動している。プリクラッシュ判定手段８の技術については、すでに一部実用化されているものもあり、例えば特許第４３０５１９１号公報にも開示されている。
【００２３】
緊急停止装置４は、搭載車両としての自動車１の加速を抑制する加速抑制手段５としての緊急停止ユニット５と、加速抑制手段５を運転者（図略）の操作で起動させる起動手段６としての緊急停止スイッチ６とを有する。
【００２４】
緊急停止スイッチ６は、運転席に座った運転手からでも助手席に座った乗員からでもよく見え、操作が容易な位置に備え付けられた赤色の押しボタン形状をしている。すなわち、押しボタン型の緊急停止スイッチ６は、ダッシュボード表面（図略）のうち運転席正面と助手席正面との間に配設されている。押しボタン型の緊急停止スイッチ６は、その押しボタン（図略）が所定以上の押圧力（例えば数十Ｎ以上の力）で圧迫されると、スイッチ接点６１が閉じるようになっている。
【００２５】
そればかりではなく、緊急停止スイッチ６は、プリクラッシュ判定手段８により衝突が予測された場合、緊急停止装置４から電力が供給されて前述の押しボタンに内蔵された警告ランプが激しく点滅する。この警告ランプが点滅することにより、光学的手段でこの押しボタンを押すことを運転者および助手席の乗員に促すことができる。さらに、緊急停止装置４から「ストップボタン！  ストップボタン！」などの警告音声を、車載オーディオ（図略）のスピーカＳＰから大音響で発する。これは、音響的手段によって運転者および助手席の乗員に音響的手段で緊急停止スイッチ６の押しボタンを押すことを促すものである。
【００２６】
このように、緊急停止装置４は、光学的手段と音響的手段との両方で危険を報知して、乗員に緊急停止スイッチ６の操作を促す衝突警告手段５７，５８，６２，ＳＰを有する。なお、プリクラッシュ判定手段８による衝突予測がなくても、乗員の判断で緊急停止スイッチ６を操作すれば、緊急停止ユニット５は作動するようになっている。
【００２７】
緊急停止装置４の中核をなす緊急停止ユニット５は、緊急停止スイッチ６の操作があった場合と、プリクラッシュ判定手段８により衝突直前にあるとの判定があった場合とのうち、いずれの場合でも作動する出力低減手段５１および強制制動手段５２をもつ。
【００２８】
出力低減手段５１は、アクセル操作にかかわらずエンジン２１の出力を強制的に低減させる手段である。すなわち出力低減手段５１は、エンジン２１の回転数がアイドリング回転数よりも高ければ、スロットル開度を一杯に絞るとともに、エンジン２１への燃料の供給を停止させるようにエンジンＥＣＵ２に命じる。そして、エンジン２１の回転数を急速に落として、アイドリング回転数にまで落ちたらエンジン２１をアイドリング状態で安定させるようにする。このような出力カット機能（図３中のＳ５）を、出力低減手段５１は発揮する。
【００２９】
一方、強制制動手段５２は、ブレーキ操作にかかわらず強制的に制動装置３１を作動させるようにブレーキＥＣＵ５５に命じる機能をもつ。この際、強制制動手段５２は、プリクラッシュ判定手段８からの信号などに基づき、衝突せずに止まれながら乗員にも過度な慣性力を与えないように適正な減速Ｇを計算して適正なブレーキ強度指令をブレーキＥＣＵ５５に出す。
【００３０】
なお、出力低減手段５１および強制制動手段５２は、ともにマイコンを中核とする基板上のメインユニット５０に収容されている。このマイコンには、各車輪の回転速度信号を取り込むインターフェース５９とプリクラッシュ判定手段８とからの信号を受け取り、スイッチ状態判定手段５６と信号の授受をする判定手段５３も収容されている。これらの手段５１，５２，５３は、メインユニット５０のマイコン（図略）で実行されるソフトウェアであるから、車種毎の設計改変や改修は比較的容易である。
【００３１】
さらに、メインユニット５０にはサブユニット５００が併設されており、サブユニット５００の基板上に実装された回路（図略）には、スイッチ状態判定手段５６と、スイッチランプ点灯手段５７と、警報発声手段との機能が与えられている。
【００３２】
（作用）
本実施例の緊急停止装置４は、以上のように構成されているので、次のような作動手順に従って作用する。
【００３３】
図３のフローチャートに示すように、ステップＳ１でプリクラッシュ判定手段８（図２参照）からの衝突の危険性があるとの信号が発せられると、ステップＳ２で緊急停止ユニット５がその信号に基づいて緊急停止スイッチ６の警報ランプ６２を点滅させる。また、スピーカＳＰから音声案内で緊急停止スイッチ６を押すように促す。
【００３４】
ここで、運転席か助手席にいる乗員が緊急停止スイッチ６を充分に強く押し、スイッチ接点６１が閉じたなら、図３のロジックはステップＳ３に進み、緊急停止ユニット５が起動する。すると先ず、判定ステップＳ４でエンジン回転数がチェックされ、アイドリング回転数よりも所定値以上大きかったら、ステップＳ５に進んで出力低減手段５１を作動させ、エンジン回転数を急速にアイドル回転数にまで下げて安定させる。逆に、判定ステップＳ４でエンジン回転数がアイドル回転数程度であれば、出力低減手段５１の起動をスキップして処理ステップＳ６に進み、各種センサの情報を総合して衝突前に停止できる減速Ｇの適正な時間プロファイルを算出する。そして処理ステップＳ７でその通りの減速Ｇを発揮できるブレーキフルートの油圧に換算し、処理ステップＳ８でブレーキをかけて進行速度を減速させて、ステップＳ９の車両停止に至る。
【００３５】
なお、処理ステップＳ１で衝突が切迫しており緊急停止スイッチ６の操作を待っていられないと判定される場合には、図２には省略したバイパス経路があって緊急停止ユニット５の出力低減手段５１および強制制動手段５２が自動的に起動するようになっている。
【００３６】
（効果）
以上のように、本実施例の緊急停止装置４を備えた自動車１であれば、運転者が未熟であったり急に具合が悪くなったりした場合であっても、助手席から押しボタン型の緊急停止スイッチ６を操作して加速抑制手段としての緊急停止スイッチ６を起動させることができ、事故を未然に防ぐことが容易になる。特に、最近では手動レバー式のサイドブレーキが少なくなり、運転者が左足で操作するフットペダル式のサイドブレーキが増えているので、助手席から操作して減速ないし停車させることができることは走行安全に寄与するところ大である。
【００３７】
そのうえ、プリクラッシュ判定手段８により衝突が予測された場合、運転手と助手席の乗員とに警報ランプ６２の点滅と警告音声とで押しボタン型の緊急停止スイッチ６の操作が促されるようになっているから、なお緊急時の操作が容易になる。
【００３８】
以上をまとめると、本実施例の緊急停止装置４によれば、ペダル踏み間違えによる事故をこうして回避することができる可能性が高まるのであるから、交通安全に寄与するところが大きい。しかも既存の車両構成に大改造を要せず、上記のような緊急停止装置４を加えるだけであるから、ほぼコストミニマムと言って差し支えない。すなわち、ペダルの踏み違えによるＡＴ自動車等の車両暴走事故を効果的に防止する手段を安価に提供できるから、費用対効果がたいへん高い。
【００３９】
したがって、本実施例の緊急停止装置によれば、既存の車両構成に対する改変が少なくコストミニマムながら、アクセルペダルとブレーキペダルとの踏み間違え時にも容易に車両を減速ないし停止させることができるという効果がある。
【００４０】
（変形態様１）
前述の押しボタン型の緊急停止スイッチ６に代えて、あるいは併せて、緊急停止スイッチとして警笛スイッチ型の緊急停止スイッチを備えた変形態様が実施できる。警笛スイッチ型の緊急停止スイッチとは、ステアリング・ホイール７に装置された警笛スイッチが所定以上の押圧力で圧迫されると閉じるスイッチ接点をもつ起動手段６である。
【００４１】
もしペダルの踏み違えで車両が暴走し始めたら、大抵の運転手は反射的に警笛スイッチを力一杯に押し、警笛を鳴らして周囲へ警告するであろう。その操作自体が、緊急停止スイッチを閉じて加速抑制手段５を起動することになるから、車両は速やかに減速ないし停車して事故を回避できる可能性が大きい。
【００４２】
（変形態様２）
前述の押しボタン型の緊急停止スイッチ６や警笛スイッチ型の緊急停止スイッチに代えて、或いは併せて、緊急停止スイッチとしてフットレスト型の緊急停止スイッチを備えた変形態様を実施することもできる。フットレスト型の緊急停止スイッチとは、運転席前方の床に設置されたフットレストが所定以上の押圧力で圧迫されると閉じるスイッチ接点をもつ起動手段６である。ＡＴ車では左足をフットレストに置いておくのが普通であるから、もし運転者が未熟であってペダルを踏み違えたとしても、自動車が意に反して暴走を始めたならば、本能的に身を固くして左足も思い切り踏ん張るであろう。すると、フットレストには強大な押圧力がかかるから、それをもって起動手段６が作動し、加速抑制手段としての緊急停止ユニット５により車両は速やかに減速ないし停車することになろう。
【００４３】
（変形態様３）
プリクラッシュ判定手段８により衝突が予測されている場合以外では、起動手段としての緊急停止スイッチ６の操作如何に関わりなく加速抑制手段としての緊急停止ユニット５の起動を防止する誤動作防止手段を緊急停止ユニット５内にもつ変形態様もあり得る。ただし、これは運転者や乗員の判断よりもプリクラッシュ判定手段８の判定を優先することになるから、採用に当たっては安全管理上で慎重な判断が求められる。
【００４４】
（変形態様４）
加速抑制手段としての緊急停止ユニット５が、起動手段としての緊急停止スイッチ６にかけられた操作力、操作回数、操作時間および操作力積などから緊急度を判定し、この緊急度に基づいて強制制動手段５２の作動強度を適正に調整する緊急度判定手段をもつ変形態様の実施も可能である。
【００４５】
緊急停止スイッチ６を操作するに当たって、状況の緊迫度が高いほど、操作者は本能的に強い力で押したり、何度も押したりすることであろう。それをもって緊迫度を緊急停止ユニット５が判定し、強制制動手段５２つまりブレーキ強度を調整すれば、より高度なマン／マシン・インターフェイスが取れてより安全になるという効果が期待できる。
【実施例２】
【００４６】
（構成および作用効果）
本発明の実施例２たる緊急停止装置（図略）は、動力源がエンジンではなく電動機である電気自動車に搭載されるための走行安全装置である。
【００４７】
本実施例では、出力低減手段５１は、この電動機への電力供給を止める給電停止機能をもつ。一方、強制制動手段５２は、摩擦力によるブレーキ機能に加え、この電動機の回転運動の慣性エネルギーを吸収して発電する回生ブレーキ機能をもつ。その他の構成については、電気自動車の構成に併せて適宜変更するだけで実施例１の緊急停止装置４を改修して実施例２の緊急停止装置とすることができる。
【００４８】
本実施例の緊急停止装置も、実施例１の緊急停止装置４とほぼ同様に作用し、同様な効果が得られる。
【００４９】
（各種変形態様）
実施例１で列挙した変形態様のうちいずれであっても、本実施例への適用が可能であり、同様の作用効果が期待できる。
【符号の説明】
【００５０】
１：自動車（車両として）    １１：車輪
２：エンジンＥＣＵ    ２１：エンジン（動力源として）
３：ブレーキペダル    ３１：ブレーキ（制動装置として）
４：自動車用の緊急停止装置（走行安全装置として）
５：緊急停止ユニット（加速抑制手段として）
５０：メインユニット    ５１：出力低減手段    ５２：強制制動手段
５３：スイッチランプの点灯判定手段（誤動作防止手段として）
５４：回転入力手段（各車輪の回転速度を入力）
５５：ブレーキＥＣＵ（ＡＢＳ：アンチロック・ブレーキシステム含む）
５６：スイッチ状態判定手段    ５７：スイッチランプ点灯手段
５８：警報発声器  ５９：車輪速度インターフェース
６：緊急停止スイッチ（起動手段として）
６１：スイッチ接点    ６２：警報ランプ
７：操舵ハンドル（ステアリング・ホイール）
８：プリクラッシュ判定手段
８０：車両状態の監視装置（ステレオカメラやレーダなど）
８１：プリクラッシュ制御装置    ８２：プリクラッシュ直前判定手段
【図１】
2013238182.tif 000003
【図２】
2013238182.tif 000004
【図３】
2013238182.tif 000005